(57)【要約】【課題】狭いブースでの空調におけるショートサーキット現象を抑制し、空間内の全体の温度を設定した温度に導くことができる空気調和システム及び個室ブースを提供する。【解決手段】使用者が出入りする扉を有し側壁で囲まれ床面に机が設置された空間に空気を調和する空気調和手段を設け、空間の上方と床面との間で空気を循環させて空気調和空間を形成する空気調和システムであって、床面近傍の空気を側壁の外側に設けられた空気通路を通じて吸い上げ、空間の上方に排出する搬送手段を備えた。【選択図】図４
2020176777.tif 000002
【特許請求の範囲】
【請求項１】
使用者が出入りする扉を有し側壁で囲まれ床面に机が設置された空間に空気を調和する空気調和手段を設け、前記空間の上方と前記床面との間で空気を循環させて空気調和空間を形成する空気調和システムであって、
前記床面近傍の前記空気を前記側壁の外側に設けられた空気通路を通じて吸い上げ、前記空間の上方に排出する搬送手段を備えた、
ことを特徴とする空気調和システム。
【請求項２】
前記空気通路は、前記机が設置されている側と反対側の前記側壁に前記床面近傍の前記空気を吸い込む吸込口を有し、前記側壁の上方に前記空気を排出する排気口を有する、
ことを特徴とする請求項１に記載の空気調和システム。
【請求項３】
前記排気口は、前記空気調和手段の前面に向かって前記空気を排出する向きに設けられている、
ことを特徴とする請求項２に記載の空気調和システム。
【請求項４】
前記排気口は、前記空気調和手段の側面に向かって前記空気を排出する向きに設けられている、
ことを特徴とする請求項２に記載の空気調和システム。
【請求項５】
前記吸込口は前記扉側に設けられ、前記排気口は前記空気調和手段が設置されている側に設けられている、
ことを特徴とする請求項４に記載の空気調和システム。
【請求項６】
前記搬送手段は、前記排気口から前記空気を水平に噴出して前記空間の上方にエアカーテンを形成する、
ことを特徴とする請求項２ないし５のいずれか１項に記載の空気調和システム。
【請求項７】
前記扉が開放されたとき、前記搬送手段の出力動作を停止する、
ことを特徴とする請求項２ないし６のいずれか１項に記載の空気調和システム。
【請求項８】
前記扉が開放されたとき、前記搬送手段の出力動作を低下させる、
ことを特徴とする請求項２ないし６のいずれか１項に記載の空気調和システム。
【請求項９】
前記使用者の予約情報に基づいて前記空気調和手段及び前記搬送手段を動作させ、前記扉が開放された場合、前記空気調和手段及び前記搬送手段の出力動作を低下させる、
ことを特徴とする請求項１に記載の空気調和システム。
【請求項１０】
前記扉が閉鎖された場合、前記空気調和手段及び前記搬送手段の出力動作を継続する、
ことを特徴とする請求項９に記載の空気調和システム。
【請求項１１】
前記使用者の利用情報に基づいて、空気調和手段の目標設定温度を設定する、
ことを特徴とする請求項９に記載の空気調和システム。
【請求項１２】
前記空間内を加圧又は減圧する加減圧手段を更に備え、前記空間が設置された地下鉄駅の列車通過時刻に合わせて前記加減圧手段を動作させる、  
ことを特徴とする請求項１ないし１１のいずれか１項に記載の空気調和システム。
【請求項１３】
前記空間と前記地下鉄駅との間に設置された列車風を計測する風向風速計の風速情報に基づいて、前記加減圧手段を動作させる、
ことを特徴とする請求項１２に記載の空気調和システム。
【請求項１４】
前記列車風の風速が予め定められた閾値以上になったことを検知して前記加減圧手段の出力動作を開始すると共に前記閾値を下回ったことを検知して前記加減圧手段の出力動作を停止し、前記空間内の気圧を常時一定とする、
ことを特徴とする請求項１３に記載の空気調和システム。
【請求項１５】
前記空間は上方で繋がり仕切り壁で仕切られた複数の小空間からなり、前記空気調和手段は複数の前記小空間の一に設置され、前記搬送手段は、それぞれの前記小空間の床面に設けられた吸気口から前記空気を吸気して前記小空間の上方に排出する、
ことを特徴とする請求項１ないし１４のいずれか１項に記載の空気調和システム。
【請求項１６】
使用者が出入りする扉を有し側壁で囲まれ床面に机が設置された空間と、
前記空間の上方と前記床面との間で空気を循環させて空気調和空間を形成する空気調和手段と、
前記床面近傍の前記空気を前記側壁の外側に設けられた空気通路を通じて吸い上げ、前記空間の上方に排出する搬送手段と、を備えた、
ことを特徴とする個室ブース。
【請求項１７】
前記空気通路は、前記机が設置されている側と反対側の前記側壁に前記床面近傍の前記空気を吸い込む吸込口を有し、前記側壁の上方に前記空気を排出する排気口を有する、
ことを特徴とする請求項１６に記載の個室ブース。
【請求項１８】
前記吸込口は前記扉側に設けられ、前記排気口は前記空気調和手段が設置されている側に設けられている、
ことを特徴とする請求項１７に記載の個室ブース。
【発明の詳細な説明】
【技術分野】
【０００１】
本発明は、空気調和システム及び個室ブースに関する。
【背景技術】
【０００２】
床暖房手段と、天井側から床面に向けて給気する給気手段とを備え、上記床暖房手段からの暖気と、上記給気手段からの給気とで空気調和空間を形成する空気調和システムであって、上記空気調和空間に配置した机の天板の下方において天板手前から天板奥側へと排気を流して上記空気調和空間から排出する排気口を設けた空気調和システムが知られている（特許文献１）。
【０００３】
吹出口から吹き出される調和空気の風向調整を行う機能を有する壁掛け式の空調室内機であって、吹出口、及び吹出口よりも上方に位置する吸込口を有する本体ケーシングと、少なくとも調和空気の風向を上方へ変更する手段を含む風向調整機構と、を備え、吹出口の上壁には、下向きに突出し、調和空気のショートサーキット流れを抑制する凸状部が形成されている空調室内機も知られている（特許文献２）。
【先行技術文献】
【特許文献】
【０００４】
【特許文献１】特開２００４−１９８０３９号公報
【特許文献２】特開２０１４−７０８１０号公報
【発明の概要】
【発明が解決しようとする課題】
【０００５】
本発明は、狭いブースでの空調におけるショートサーキット現象を抑制し、空間内の全体の温度を設定した温度に導くことができる空気調和システム及び個室ブースを提供することを目的とする。
【課題を解決するための手段】
【０００６】
前記課題を解決するために、請求項１に記載の空気調和システムは、
使用者が出入りする扉を有し側壁で囲まれ床面に机が設置された空間に空気を調和する空気調和手段を設け、前記空間の上方と前記床面との間で空気を循環させて空気調和空間を形成する空気調和システムであって、
前記床面近傍の前記空気を前記側壁の外側に設けられた空気通路を通じて吸い上げ、前記空間の上方に排出する搬送手段を備えた、
ことを特徴とする。
【０００７】
請求項２に記載の発明は、請求項１に記載の空気調和システムにおいて、
前記空気通路は、前記机が設置されている側と反対側の前記側壁に前記床面近傍の前記空気を吸い込む吸込口を有し、前記側壁の上方に前記空気を排出する排気口を有する、
ことを特徴とする。
【０００８】
請求項３に記載の発明は、請求項２に記載の空気調和システムにおいて、
前記排気口は、前記空気調和手段の前面に向かって前記空気を排出する向きに設けられている、
ことを特徴とする。
【０００９】
請求項４に記載の発明は、請求項２に記載の空気調和システムにおいて、
前記排気口は、前記空気調和手段の側面に向かって前記空気を排出する向きに設けられている、
ことを特徴とする。
【００１０】
請求項５記載の発明は、請求項４に記載の空気調和システムにおいて、
前記吸込口は前記扉側に設けられ、前記排気口は前記空気調和手段が設置されている側に設けられている、
ことを特徴とする。
【００１１】
請求項６に記載の発明は、請求項２ないし５のいずれか１項に記載の空気調和システムにおいて、
前記搬送手段は、前記排気口から前記空気を水平に噴出して前記空間の上方にエアカーテンを形成する、
ことを特徴とする。
【００１２】
請求項７記載の発明は、請求項１ないし６のいずれか１項に記載の空気調和システムにおいて、
前記扉が開放されたとき、前記搬送手段の出力動作を停止する、
ことを特徴とする。
【００１３】
請求項８記載の発明は、請求項１ないし６のいずれか１項に記載の空気調和システムにおいて、
前記扉が開放されたとき、前記搬送手段の出力動作を低下させる、
ことを特徴とする。
【００１４】
請求項９記載の発明は、請求項１に記載の空気調和システムにおいて、
前記使用者の予約情報に基づいて前記空気調和手段及び前記搬送手段を動作させ、前記扉が開放された場合、前記空気調和手段及び前記搬送手段の出力動作を低下させる、
ことを特徴とする。
【００１５】
請求項１０記載の発明は、請求項９に記載の空気調和システムにおいて、
前記扉が閉鎖された場合、前記空気調和手段及び前記搬送手段の出力動作を継続する、
ことを特徴とする。
【００１６】
請求項１１記載の発明は、請求項９に記載の空気調和システムにおいて、
前記使用者の利用情報に基づいて、空気調和手段の目標設定温度を設定する、
ことを特徴とする。
【００１７】
請求項１２記載の発明は、請求項１ないし１１のいずれか１項に記載の空気調和システムにおいて、
前記空間内を加圧又は減圧する加減圧手段を更に備え、前記空間が設置された地下鉄駅の列車通過時刻に合わせて前記加減圧手段を動作させる、
ことを特徴とする。
【００１８】
請求項１３記載の発明は、請求項１２に記載の空気調和システムにおいて、
前記空間と前記地下鉄駅との間に設置された列車風を計測する風向風速計の風速情報に基づいて、前記加減圧手段を動作させる、
ことを特徴とする。
【００１９】
請求項１４記載の発明は、請求項１３に記載の空気調和システムにおいて、
前記列車風の風速が予め定められた閾値以上になったことを検知して前記加減圧手段の出力動作を開始すると共に前記閾値を下回ったことを検知して前記加減圧手段の出力動作を停止し、前記空間内の気圧を常時一定とする、
ことを特徴とする。
【００２０】
請求項１５記載の発明は、請求項１ないし１４のいずれか１項に記載の空気調和システムにおいて、
前記空間は上方で繋がり仕切り壁で仕切られた複数の小空間からなり、前記空気調和手段は複数の前記小空間の一に設置され、前記搬送手段は、それぞれの前記小空間の床面に設けられた吸気口から前記空気を吸気して前記小空間の上方に排出する、
ことを特徴とする。
【００２１】
前記課題を解決するために、請求項１６に記載の個室ブースは、
使用者が出入りする扉を有し側壁で囲まれ床面に机が設置された空間と、
前記空間の上方と前記床面との間で空気を循環させて空気調和空間を形成する空気調和手段と、
前記床面近傍の前記空気を前記側壁の外側に設けられた空気通路を通じて吸い上げ、前記空間の上方に排出する搬送手段と、を備えた、
ことを特徴とする。
【００２２】
請求項１７記載の発明は、請求項１６に記載の個室ブースにおいて、
前記空気通路は、前記机が設置されている側と反対側の前記側壁に前記床面近傍の前記空気を吸い込む吸込口を有し、前記側壁の上方に前記空気を排出する排気口を有する、
ことを特徴とする。
【００２３】
請求項１８記載の発明は、請求項１７に記載の個室ブースにおいて、
前記吸込口は前記扉側に設けられ、前記排気口は前記空気調和手段が設置されている側に設けられている、
ことを特徴とする。
【発明の効果】
【００２４】
請求項１に記載の発明によれば、狭いブースでの空調におけるショートサーキット現象を抑制し、空間内の全体の温度を設定した温度に導くことができる。
【００２５】
請求項２に記載の発明によれば、床面側の冷たい空気を吸気して空間の上方へ搬送することができる。
【００２６】
請求項３、４に記載の発明によれば、空気調和手段のショートサーキットを抑制することができる。
【００２７】
請求項５に記載の発明によれば、床面の扉側から空気を吸気して空気調和手段へ向かって搬送することで空間内の全体の温度を設定した温度に導くことができる。
【００２８】
請求項６に記載の発明によれば、天井がない空間であっても空間内の全体の温度を設定した温度に導くことができる。
【００２９】
請求項７、８に記載の発明によれば、出入りの扉が開いた際に空間内の空気の入れ換えを抑制することができる。
【００３０】
請求項９に記載の発明によれば、空間利用の予約がある場合に、空間内を予め適切な温度に保つことができる。
【００３１】
請求項１０に記載の発明によれば、空間内を適切な温度に保つことができる。
【００３２】
請求項１１に記載の発明によれば、使用者に応じて空間内を適切な温度に保つことができる。
【００３３】
請求項１２、１３、１４に記載の発明によれば、地下鉄駅内に設置された空間のエアカーテンの破壊を抑制することができる。
【００３４】
請求項１５に記載の発明によれば、複数の小空間内の空調におけるショートサーキット現象を抑制し、小空間内の全体の温度を設定した温度に導くことができる。
【００３５】
請求項１６に記載の発明によれば、狭いブースでの空調におけるショートサーキット現象を抑制し、空間内の全体の温度を設定した温度に導くことができる。
【００３６】
請求項１７に記載の発明によれば、床面側の冷たい空気を吸気して空間の上方へ搬送することができる。
【００３７】
請求項１８に記載の発明によれば、空気調和手段のショートサーキットを抑制することができる。
【図面の簡単な説明】
【００３８】
【図１】本実施形態に係る空気調和システムを使用した個室ブースの内部構成を示す要部斜視図である。
【図２】個室ブースの内部構成を示す正面一部断面図である。
【図３】個室ブースの空間内における空気循環を模式的に示す側面断面図である。
【図４】個室ブースの空間内における空気循環を模式的に示す正面断面図である。
【図５】変形例１に係る空気調和システムを使用した個室ブースの内部構成を示す要部斜視図である。
【図６】個室ブースにおける空気搬送ダクトの取り付け及び空気循環を個別ブースの内面側から模式的に示す図である。
【図７】変形例２に係る空気調和システムを使用した個室ブースにおける空気循環を模式的に示す正面断面図である。
【図８】空気調和システムの動作制御機能を示す機能ブロック図である。
【図９】空気調和システムの動作の流れを示すフローチャートである。
【図１０】第２実施形態に係る空気調和システムを使用した個室ブースが設置された地下空間における進入する列車による列車風を説明する断面模式図である。
【図１１】第２実施形態に係る空気調和システムを使用した個室ブースが設置された地下空間における離れる列車による列車風を説明する断面模式図である。
【図１２】第２実施形態に係る空気調和システムの動作制御機能を示す機能ブロック図である。
【図１３】空気調和システムの動作の流れを示すフローチャートである。
【図１４】加減圧ファンによる加圧時の個室ブースにおける空気循環を説明する図である。
【図１５】加減圧ファンによる減圧時の個室ブースにおける空気循環を説明する図である。
【図１６】変形例に係る空気調和システムの動作の流れを示すフローチャートである。
【図１７】第３実施形態に係る空気調和システムを適用した個室ブースの内部構成を示す平面断面図である。
【図１８】第３実施形態に係る空気調和システムを適用した個室ブースの空間内における空気循環を説明する図である。
【図１９】第３実施形態に係る空気調和システムを適用した個室ブースの他の空間内における空気循環を説明する図である。
【図２０】空気搬送ダクトを備えていない比較例の個室ブースにおける空間内における空気循環を説明する図である。
【発明を実施するための形態】
【００３９】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００４０】
「第１実施形態」
（１）個室ブースの全体構成
図１は本実施形態に係る空気調和システムを使用した個室ブース１の内部構成を示す要部斜視図、図２は個室ブース１の内部構成を示す正面一部断面図である。以下、図面を参照しながら、空気調和システムを使用した個室ブース１の全体構成を説明する。
【００４１】
図１、図２に示すように、個室ブース１は、全体が箱型で、内部に机１１、椅子１２、空気調和手段の一例としてのエアコン１３、側部に搬送手段の一例としての吸込口と排気口を有する空気搬送ダクト２０が設置され、利用者は個室ブース１内に形成される空気調和空間内で、この椅子１２に座って机１１に向かい仕事や勉強を行うように設定される。また、個室ブース１は、工場等で組み立てられ、トラック等の荷台に載せて運搬し、所定の設置場所で設置面ＦＬ上に設置できる構成になっている。
【００４２】
個室ブース１は、設置面ＦＬ上に設けられる土台部２と、土台部２上に設けられた床板部３と、土台部２上に立設された側壁パネル４と、側壁パネル４上に設けられた天井パネル５と、土台部２の下方に設けられたキャスター６と、土台部２の下方でキャスター６の近傍に転倒防止板８を介して設けられた固定具７と、を備えている。
【００４３】
土台部２は、個室ブース１の底形状に対応した矩形状をなすように、４本の梁材を互いに接合したもので、例えば、角形鋼管からなる。
【００４４】
床板部３は、土台部２の内側に突出するように設けられた床支持部材２ａに当接して支持され、例えば、木質の板材である構造用合板上にフロアマットが積層されている。
【００４５】
側壁パネル４は、奥側壁を構成する第１側壁パネル４１と、左右壁を構成する第２側壁パネル４２、第３側壁パネル４３と、手前壁を構成する第４側壁パネル４４とからなる。第４側壁パネル４４は出入り口となる開口部４４ａを有し、この開口部４４ａに扉４５が装着されている。本実施形態においては、扉４５は引き戸となっている。
【００４６】
天井パネル５は、側壁パネル４で形成された上方の開口部を塞ぐように、側壁パネル４の上端部に固定され、例えば、木質の板材である構造用合板からなる。尚、天井パネル５を取り付けず、側壁パネル４で形成された上方は開口したままであってもよい。
【００４７】
キャスター６は、土台部２の下方の４隅に設けられ、工場等で組み立てられた個室ブース１を設置場所へ設置する際に、トラック等の荷台に載せて運搬し、設置場所ではキャスター６を介して移動させ設置面ＦＬ上に設置する。
【００４８】
固定具７は、高さ調整可能に構成されており、設置面ＦＬと土台部２との間でキャスター６を設置面ＦＬから浮かして個室ブース１を設置面ＦＬに移動不可の状態に固定する。
【００４９】
（２）空気調和システム
図２０は、空気搬送ダクトを備えていない比較例の個室ブース２００における空間内における空気循環を説明する図である。
天井がある個室ブースの空間内においては、暖かい空気は上方に、冷たい空気は下方（床面近傍）に集まりやすい。また、個室ブース１においては、室内（空間内）における人（利用者）や机１１などの障害物の占める空間割合が大きく、エアコン１３からの空調風がこれらの障害物や側壁パネル４に衝突して空気流が直ぐにエアコン１３の吸気部１３ａに戻り、いわゆるショートサーキット現象が発生してエアコン空調制御が停止し、空調したい場所の温度が適切にならない虞があった。
【００５０】
例えば、エアコン１３は、冷房時には水平方向に吐き出すが、個室ブースの空間は狭く障害物等が吸気部１３ａに近く、冷気がエアコン１３に戻りやすい。また暖房時には空気が軽いため下方に向けても上昇気流になりやすく、床面まで到達せず、足元が寒い現象が発生する。
また、室内容積に対して、扉開口面積が大きく、利用者の室入退出により空調済みの空気の入れ替わりも激しく所定の設定温度になりにくいという虞もあった。
【００５１】
（２．１）空気調和システムの構成
図３は個室ブース１の空間内における空気循環を模式的に示す側面断面図、図４は個室ブース１の空間内における空気循環を模式的に示す正面断面図である。
本実施形態に係る空気調和システムは、空気調和手段の一例としてのエアコン１３と、床板部３近傍の空気を第３側壁パネル４３の外側に設けられた空気通路２１を通じて吸い上げ、空間の上方に排出する搬送手段としての空気搬送ダクト２０とを備え、エアコン１３からの暖気と、空気搬送ダクト２０からの給気とで空気調和空間を形成している。
【００５２】
図２、図３に示すように、空気搬送ダクト２０は、個室ブース１の左壁を構成する第３側壁パネル４３の奥行き方向における略中央部に床面から天井に垂直に延びる様に設けられている。
【００５３】
空気搬送ダクト２０は、吸気ファン２２を備え、この吸気ファン２２の駆動により、第３側壁パネル４３の床面近傍に設けた吸込口４３ａを介して空気通路２１内へ吸込む。また、空気搬送ダクト２０は、排気ファン２３を備え、この排気ファン２３の駆動により、第３側壁パネル４３の天井パネル５近傍に設けた排気口４３ｂを介して空間内へ排出する。
【００５４】
図３、図４に空気の流れを模式的に示すように、エアコン１３は、上部に設けられた吸気部１３ａから空間内で循環する空気を吸い込み、所定の温度に調整された空気（空調風）を吐出部１３ｂから空間内で下方に向けて吹き出す（図３、４中  二点鎖線で示す領域参照）。
【００５５】
空気搬送ダクト２０の吸込口４３ａは、第３側壁パネル４３の下方で床面の近傍に向かって形成され、床板部３に近い領域の空気（暖房の場合は、冷たい空気）を吸込み（図３、４中  一点鎖線で示す領域参照）、床面近傍は低圧になる。また、空気搬送ダクト２０の排気口４３ｂは、第３側壁パネル４３の上方で天井の近傍に向かって形成され、天井パネル５に近い領域に空気通路２１を通じて吸い上げた空気を排出する（図３、４中  一点鎖線で示す領域参照）。具体的には、エアコン１３の前面に向かって排出する。また、排気口４３ｂには、排気方向を変更可能な羽根部材（可動フラップ：不図示）を設け、排気方向をエアコン１３の側面に向かって排出してもよい。
【００５６】
これにより、エアコン１３から吹き出された空調風は、個室ブース１内に障害物があった場合であっても、吸気ファン２２の吸気によって低圧となった床板部３の近傍まで到達して空気搬送ダクト２０の吸込口４３ａから空気通路２１内へ吸込まれる。排気口４３ｂからエアコン１３の前面に向かって排出された空気は、エアコン１３の吸気部１３ａからエアコン１３内に取り込まれ空調風として吐出部１３ｂから吹き出される。
このようにして、個室ブース１にはエアコン１３から吹き出される空調風の空気調和空間が形成され、ショートサーキット現象を抑制し、個室ブース１の空間内の全体の温度を設定した温度に導くことができる。
【００５７】
「変形例１」
図５は変形例１に係る空気調和システムを使用した個室ブース１Ａの内部構成を示す要部斜視図、図６は個室ブース１Ａにおける空気搬送ダクト２０の取り付け及び空気循環を個室ブース１Ａの内面側から模式的に示す図である。
変形例に係る空気調和システムの空気搬送ダクト２０Ａは、吸込口４３Ａａは扉４５側に設けられ、排気口４３Ａｂはエアコン１３が設置されている側に設けられている。
【００５８】
図６に示すように、空気搬送ダクト２０の吸込口４３Ａａは、第３側壁パネル４３の下方で床面の扉４５側の近傍に向かって形成され、出入り口に近い領域の空気（暖房の場合は、冷たい空気）を吸込む。また、空気搬送ダクト２０の排気口４３Ａｂは、第３側壁パネル４３の上方でエアコン１３の近傍に向かって形成され、エアコン１３に近い領域に空気通路２１Ａを通じて吸い上げた空気を排出する。
【００５９】
これにより、利用者の室入退出のために出入り口の扉４５が開閉された場合であっても、出入り口近傍の入れ替わりの激しい空気を吸気して循環させ、空間内の全体の温度を設定した温度に導くことができる。
【００６０】
「変形例２」
図７は変形例２に係る空気調和システムを使用した個室ブース１Ｂにおける空気循環を模式的に示す正面断面図である。
変形例２に係る個室ブース１Ｂは、個室ブース１における天井パネル５を有せず、天井は全面が外部に開放されている。これは、火災防止のための法定要件を考慮したものである。
すなわち、建物の内部に閉じた空間の個室を設けると、その個室にも、火災防止の観点から建物と同様の法定要件を満たす必要が生じ、例えばスプリンクラーや火災感知器などを設けなければならない。そこで、天井を開放することでこのような法定要件が免除され、個室ブース１Ｂの設置を促進することが可能となる。
【００６１】
個室ブース１Ｂの右壁を構成する第２側壁パネル４２の上部には、エアコン１３が設置されている。この第２側壁４２と向かい合う左壁を構成する第３側壁パネル４３の外側には空気搬送ダクト２０が配置されている。空気搬送ダクト２０は、吸気ファン２２を備え、この吸気ファン２２の駆動により、第３側壁パネル４３の床面近傍に設けた吸込口４３ａを介して空気通路２１内へ吸込む。また、空気搬送ダクト２０は、排気ファン２３Ａを備え、この排気ファン２３Ａの駆動により、第３側壁パネル４３の天井パネル５近傍に設けた排気口４３ｂを介して空間内へ排出する。
【００６２】
排気ファン２３Ａは、例えばＤＣファンであり、排出する空気が排気口４３ｂに対向した位置に設置されているエアコン１３に充分に届くだけの風量及び静圧を有していることが望ましい。排気ファン２３Ａは、空気通路２１を通じて吸い上げた空気を水平に打ち出し、対面側に設置されたエアコン１３の吸気部１３ａまで搬送し、開放された天井にエアカーテンを形成する。排気口４３ｂからエアコン１３の前面に向かって排出された空気は、エアコン１３の吸気部１３ａからエアコン１３内に取り込まれ空調風として吐出部１３ｂから床面に向かって吹き出される。
【００６３】
このようにして、個室ブース１Ｂには開放された天井にはエアカーテンが形成されるとともにエアコン１３から吹き出される空調風の空気調和空間が形成され、ショートサーキット現象を抑制し、個室ブース１Ｂの空間内の全体の温度を設定した温度に導くことができる。
【００６４】
（２．２）空気調和システムの動作制御
図８は空気調和システムの動作制御機能を示す機能ブロック図、図９は空気調和システムの動作の流れを示すフローチャートである。
空気調和システムは、エアコン１３の空調能力及び空気搬送ダクト２０の空気搬送能力を調整して、空気調和空間の上下方向温度分布を制御する制御手段としての制御装置３０を備えている。
【００６５】
制御装置３０は、ＣＰＵ、ＲＯＭ、ＲＡＭ、記憶装置からなる小型コンピュータや組み込みコンピュータ等で構成することができ、図８に示すように、エアコン１３の運転及び空調能力を制御するエアコン制御部３１、空気搬送ダクト２０の吸気ファン２２の駆動を制御する吸気ファン制御部３２、排気ファン２３の駆動を制御する排気ファン制御部３３、ネットワークＮＷとの通信を行う通信部３４、個室ブース１の扉４５の開閉を検知する開閉検知部３５を備えている。
【００６６】
本実施形態に係る空気調和システムは、図９に一例として示す動作フローに従ってエアコン１３の空調能力及び空気搬送ダクト２０の空気搬送能力を調整して、空気調和空間の上下方向温度分布を制御する。
【００６７】
制御装置３０は、ネットワークＮＷを介して、個室ブース１の利用予約情報を取得（Ｓ１０１）し、利用予約の有無を判定する（Ｓ１０２）。利用予約がある場合（Ｓ１０２：Ｙｅｓ）、更に利用予約をした利用者の利用履歴の有無を確認する（Ｓ１０３）。利用者の利用履歴は、例えばネットワークＮＷを介して取得される利用情報を参照することによって取得できる。
利用者の利用履歴がある場合（Ｓ１０３：Ｙｅｓ）、利用履歴に基づいてエアコン１３の目標設定温度を設定（Ｓ１０４）し、エアコン１３、空気搬送ダクト２０の吸気ファン２２、排気ファン２３を稼働させる（Ｓ１０５）。これにより、個室ブース１の予約がある場合に、空間内を予め適切な温度に保つことができる。
【００６８】
空気調和システムを稼働させた後、扉開閉センサＳＮＲの検知情報を取得（Ｓ１０６）、扉４５が開放されたか否か判断する（Ｓ１０７）。扉４５が開放された場合（Ｓ１０７：Ｙｅｓ）、エアコン１３、空気搬送ダクト２０の吸気ファン２２、排気ファン２３を停止する（Ｓ１０８）。尚、扉４５の開放が短時間である場合には、空気搬送ダクト２０の吸気ファン２２、排気ファン２３の出力動作を低下させてもよい。そして、扉４５が閉鎖されたか否か判断（Ｓ１０９）し、扉４５が閉鎖された場合（Ｓ１０９：Ｙｅｓ）、エアコン１３、空気搬送ダクト２０の吸気ファン２２、排気ファン２３の稼働を継続する（Ｓ１１０）。これにより、出入りの扉４５が開いた際に空間内の空気の入れ換えを抑制することができる。
【００６９】
「第２実施形態」
図１０は第２実施形態に係る空気調和システムを使用した個室ブース１Ｃが設置された地下空間における進入する列車Ｔによる列車風Ｗ１を説明する断面模式図、図１１は第２実施形態に係る空気調和システムを使用した個室ブース１Ｃが設置された地下空間における離れる列車Ｔによる列車風Ｗ２を説明する断面模式図である。
【００７０】
（１）地下空間における列車風
本実施形態における地下空間とは、地下鉄駅と地上部との間に形成されているコンコース空間、連絡通路などの空間からなる地下空間であり、図１０に示すように、地下鉄駅のプラットホーム１１０を取り囲むように地下鉄駅空間としてのプラットホーム空間１００が位置する。そしてこのプラットホーム空間１００の両側にそれぞれ左右のトンネル空間１２０、１３０が接続されている。
【００７１】
プラットホーム空間１００の上方には、コンコース空間１４０が位置し、連絡通路１４１を介してプラットホーム空間１００とコンコース空間１４０が接続されている。コンコース空間１４０のさらに上方には、地上部１５０があり、連絡通路１５１を介してコンコース空間１４０と地上部１５０が接続されている。
本実施形態に空気調和システムを使用した個室ブース１Ｃは、図１に示すように、コンコース空間１４０に設置される。
【００７２】
図１０に示すプラットホーム空間１００はコンコース空間１４０と接続されており、地下鉄の利用者は、地上からプラットホーム空間１００に入り列車Ｔに乗り込むことができる。この利用者のための通路は外気との経路にもなっており、外気風が入り込んだり、プラットホーム空間１００から地上に空気が出て行くことになる。
【００７３】
図１０において、左側のトンネル空間１２０から列車Ｔが進入してくると、列車Ｔの前方には列車Ｔと同じ方向に列車風Ｗ１が吹く。この列車風Ｗ１はプラットホーム空間１００内に進入し、図１０中において右側のトンネル空間１３０や、連絡通路１４１、１５１を通過して外部に排出されることになる。
【００７４】
また、図１１に示すように、プラットホーム空間１００において、列車Ｔがプラットホーム１１０から右側のトンネル空間１３０へ向かって離れるときには列車Ｔの後方には負圧が発生し、列車Ｔの進行方向と同じ方向に列車風Ｗ２が吹く。この列車風Ｗ２によって、地上部１５０から連絡通路１４１、１５１を通じてコンコース空間１４０へ、また、コンコース空間１４０からプラットホーム空間１００およびトンネル空間１３０へ多量の空気が流れ込む。
【００７５】
このような列車風Ｗ１、Ｗ１が発生するプラットホーム空間１００と連絡通路１４１で繋がったコンコース空間１４０に設置される個室ブース１Ｃにおいては、列車風Ｗ１、Ｗ２による加圧と負圧で個室ブース１Ｃ内の空間の気圧バランスが崩れ、天井領域に形成されたエアカーテンが破壊される虞があった。エアカーテンが破壊されると、外気の流入及び内気の流出が発生し、個室ブース１Ｃの空気調和空間が形成できなくなる。
【００７６】
（２）空気調和システムの動作制御
図１２は第２実施形態に係る空気調和システムの動作制御機能を示す機能ブロック図、図１３は空気調和システムの動作の流れを示すフローチャート、図１４は加減圧ファン２４による加圧時の個室ブース１Ｃにおける空気循環を説明する図、図１５は加減圧ファン２４による減圧時の個室ブース１Ｃにおける空気循環を説明する図である。
【００７７】
本実施形態の空気調和システムは、個室ブース１Ｃの空間内を加圧又は減圧する加減圧手段の一例としての加減圧ファン２４と、加減圧ファン２４の動作を制御する制御装置３０Ａを備え、個室ブース１Ｃが設置された地下鉄駅の列車通過時刻に合わせて加減圧ファン２４を動作させる。
【００７８】
制御装置３０Ａは、図１２に示すように、エアコン１３の運転及び空調能力を制御するエアコン制御部３１、空気搬送ダクト２０の吸気ファン２２の駆動を制御する吸気ファン制御部３２、排気ファン２３の駆動を制御する排気ファン制御部３３、ネットワークＮＷとの通信を行う通信部３４、プラットホーム空間１００及びコンコース空間１４０に設置された風向風速計１６０の風速Ｖを検知する風速検知部３６、加減圧ファン２４の駆動を制御する加減圧ファン制御部３７を備えている。
【００７９】
制御装置３０Ａは、ネットワークＮＷを介して個室ブース１Ｃが設置されている地下鉄駅の列車通過時刻情報を取得する（Ｓ２０１）。列車通過時刻は、時刻表情報及び遅延情報を含む現在の運行情報をもとに取得することができる。そして、取得した列車通過時刻よりも所定時間前になった場合（Ｓ２０２：Ｙｅｓ）、加減圧ファン２４を加圧動作させる（Ｓ２０３）。具体的には、図１４に示すように、加減圧ファン２４を駆動してコンコース空間の空気を個室ブース１Ｃ内に吸気して個室ブース１Ｃの空間を加圧状態にする。これにより、列車Ｔが左側のトンネル空間１２０からプラットホーム空間１００に進入してくるときの列車風Ｗ１によるエアカーテンの破壊を抑制して個室ブース１Ｃに空気調和空間を形成することができる。
【００８０】
次に、列車Ｔの出発時刻になった場合（Ｓ２０４：Ｙｅｓ）、加減圧ファン２４を減圧動作させる（Ｓ２０５）。具体的には、図１５に示すように、吸気モードで駆動されている加減圧ファン２４を排気モードに切り替えて個室ブース１Ｃの空間を負圧状態にする。これにより、列車Ｔがプラットホーム１１０から右側のトンネル空間１３０へ向かって離れるときの列車風Ｗ２によるエアカーテンの破壊を抑制して個室ブース１Ｃに形成されている空気調和空間を維持することができる。出発時刻から所定時間経過した場合（Ｓ２０６：Ｙｅｓ）、加減圧ファン２４の運転を停止する（Ｓ２０７）。これにより、個室ブース１Ｃは吸気ファン２２、排気ファン２３及びエアコン１３により空気循環が形成された状態になる。
【００８１】
「変形例」
図１６は変形例に係る空気調和システムの動作の流れを示すフローチャートである。空気調和システムは、プラットホーム空間１００及びコンコース空間１４０に設置された風向風速計１６０の風速情報に基づいて、加減圧ファン２４を動作させ、列車風Ｗ１、Ｗ２によるエアカーテンの破壊を抑制する。
【００８２】
制御装置３０Ａの風速検知部３６を介して個室ブース１Ｃが設置されているプラットホーム空間１００及びコンコース空間１４０に設置された風向風速計１６０の風速検知情報を取得する（Ｓ３０１）。そして、取得した風向風速計１６０の風速Ｖが予め定められた風速閾値Ｖｔｈよりも大きいか否か判断する（Ｓ３０２）。制御装置３０Ａは、ステップ３０２において、列車Ｔが左側のトンネル空間１２０からプラットホーム空間１００に進入してくるのを検知することになる。
【００８３】
風速Ｖが予め定められた風速閾値Ｖｔｈよりも大きい場合（Ｓ３０２：Ｙｅｓ）、加減圧ファン２４を加圧動作させる（Ｓ３０３）。具体的には、加減圧ファン２４を駆動してコンコース空間の空気を個室ブース１Ｃ内に吸気して個室ブース１Ｃの空間を加圧状態にする（図１４  参照）。これにより、列車Ｔが左側のトンネル空間１２０からプラットホーム空間１００に進入してくるときの列車風Ｗ１によるエアカーテンの破壊を抑制して個室ブース１Ｃに空気調和空間を形成することができる。
【００８４】
次に、風速Ｖが予め定められた風速閾値Ｖｔｈよりも小さいか否か判断する（Ｓ３０４）。制御装置３０Ａは、ステップ３０４において、列車Ｔがプラットホーム１１０から右側のトンネル空間１３０へ向かって離れたかを検知することになる。風速Ｖが予め定められた風速閾値Ｖｔｈよりも小さい場合（Ｓ３０４：Ｙｅｓ）、加減圧ファン２４の運転を停止する（Ｓ３０５）。この後、個室ブース１Ｃは吸気ファン２２、排気ファン２３及びエアコン１３により空気循環が形成された状態になる。
【００８５】
「第３実施形態」
図１７は第３実施形態に係る空気調和システムを適用した個室ブース１Ｄの内部構成を示す平面断面図、図１８は第３実施形態に係る空気調和システムを適用した個室ブース１Ｄの空間内における空気循環を説明する図、図１９は第３実施形態に係る空気調和システムを適用した個室ブース１Ｄの他の空間内における空気循環を説明する図である。
【００８６】
本実施形態に係る空気調和システムは、図１７に示すように、個室ブース１Ｄの空間は上方で繋がり仕切り壁４６で仕切られた複数（本実施形態においては２室）の小空間ＲＭ１、ＲＭ２からなり、空気調和手段としてのエアコン１３は複数の小空間の一方に設置され、搬送手段としての空気搬送ダクト２０Ａ、２０Ｂは、それぞれの小空間ＲＭ１、ＲＭ２の床面に設けられた吸込口から空気を吸気してそれぞれの小空間ＲＭ１、ＲＭ２の上方に排出する。尚、エアコン１３は、それぞれの小空間に設置されてもよく、また、天井は天井パネル５によって閉鎖されていてもよい。
【００８７】
図１７に示すように、空気搬送ダクト２０Ａ、２０Ｂは、仕切り壁４６の両面に配置されている。仕切り壁４６の小空間ＲＭ２側に配置された空気搬送ダクト２０Ａは、図１８（図１７におけるＡ−Ａ線に沿った断面図）に示すように、吸込口４３Ａａから小空間ＲＭ１の床面３Ａの近傍の空気を空気通路２１内へ吸込み、排気口４３Ａｂを介して小空間ＲＭ１内へ排出する。
【００８８】
仕切り壁４６の小空間ＲＭ１側に配置された空気搬送ダクト２０Ｂは、図１９（図１７におけるＢ−Ｂ線に沿った断面図）に示すように、吸込口４３Ｂａから小空間ＲＭ２の床面３Ｂの近傍の空気を空気通路２１内へ吸込み、排気口４３Ｂｂを介して小空間ＲＭ２内へ排出する。
【００８９】
また、それぞれの小空間ＲＭ１、ＲＭ２の床面３Ａ、３Ｂの近傍には温度センサＳＲ１、ＳＲ２を配置することが望ましい。制御装置３０Ｂ（不図示）は、温度センサＳＲ１、ＳＲ２の検知するそれぞれの床面３Ａ、３Ｂ近傍の温度情報に基づいて、エアコン１３、空気搬送ダクト２０Ａ、２０Ｂの吸気ファン２２、排気ファン２３の駆動を制御することで、複数の小空間ＲＭ１、ＲＭ２内の空調におけるショートサーキット現象を抑制し、小空間内の全体の温度を設定した温度に導くことができる。
【符号の説明】
【００９０】
１、１Ｂ、１Ｃ、１Ｄ・・・個室ブース
２・・・土台部
３、３Ａ、３Ｂ・・・床板部
４・・・側壁パネル
５・・・天井パネル
６・・・キャスター
７・・・固定具
８・・・転倒防止板
１１・・・机
１２・・・椅子
１３・・・エアコン
２０、２０Ａ、２０Ｂ・・・空気搬送ダクト
２１、２１Ａ・・・空気通路
２２・・・吸気ファン
２３、２３Ａ・・・排気ファン
２４・・・加減圧ファン
３０、３０Ａ・・・制御装置
【図１】
2020176777.tif 000003
【図２】
2020176777.tif 000004
【図３】
2020176777.tif 000005
【図４】
2020176777.tif 000006
【図５】
2020176777.tif 000007
【図６】
2020176777.tif 000008
【図７】
2020176777.tif 000009
【図８】
2020176777.tif 000010
【図９】
2020176777.tif 000011
【図１０】
2020176777.tif 000012
【図１１】
2020176777.tif 000013
【図１２】
2020176777.tif 000014
【図１３】
2020176777.tif 000015
【図１４】
2020176777.tif 000016
【図１５】
2020176777.tif 000017
【図１６】
2020176777.tif 000018
【図１７】
2020176777.tif 000019
【図１８】
2020176777.tif 000020
【図１９】
2020176777.tif 000021
【図２０】
2020176777.tif 000022